(57)【要約】      （修正有）【課題】基地局に接続される複数の通信端末の通信速度を改善する通信端末及び基地局を提供する。【解決手段】通信端末２は、第１の基地局３Ａ、３Ｂ及び第１の基地局３Ａ、３Ｂとは異なる通信の方式を用いる第２の基地局４のそれぞれと無線通信する。通信端末２は、第１の基地局３Ａ、３Ｂとの間の無線通信の通信品質を示す第１の通信品質情報と、第２の基地局４との間の無線通信の通信品質を示す第２の通信品質情報を取得し、第１の通信品質情報と、第２の通信品質情報とに基づいて、第２の基地局４との間の無線通信を切断するか否かを判定し、判定した結果に基づいて第２の基地局４との間の無線通信を切断する。【選択図】図１
2018164238.tif 000002
【特許請求の範囲】
【請求項１】
第１の基地局及び前記第１の基地局とは異なる通信の方式を用いる第２の基地局のそれぞれと無線通信する通信端末であって、
前記第１の基地局との間の無線通信の通信品質を示す第１の通信品質情報を取得する第１通信品質情報取得部と、
前記第２の基地局との間の無線通信の通信品質を示す第２の通信品質情報を取得する第２通信品質情報取得部と、
前記第１通信品質情報取得部が取得する前記第１の通信品質情報と、前記第２通信品質情報取得部が取得する前記第２の通信品質情報とに基づいて、前記第２の基地局との間の無線通信を切断するか否かを判定する通信切断判定部と、
前記通信切断判定部が判定した結果に基づいて前記第２の基地局との間の無線通信を切断する通信部と
を備える通信端末。
【請求項２】
前記通信切断判定部は、
前記第２の基地局との間の無線通信を切断する基準を示す切断基準に基づいて前記第２の基地局との間の無線通信を切断するか否かを判定し、
前記第１の通信品質情報が所定の通信品質よりも高い通信品質を示す場合には、前記切断基準をより切断しやすい基準へと設定し、
前記第１の通信品質情報が前記所定の通信品質よりも低い通信品質を示す場合には、前記切断基準をより切断しにくい基準へと設定する
請求項１に記載の通信端末。
【請求項３】
前記切断基準とは前記第２の基地局との間の無線通信の通信品質に関する閾値であって、
前記通信切断判定部は、
前記第１の通信品質情報が示す通信品質が前記所定の通信品質よりも高い通信品質を示す場合には、前記閾値をより高い値に設定し、
前記第１の通信品質情報が示す通信品質が前記所定の通信品質よりも低い通信品質を示す場合には、前記閾値をより低い値に設定し、
前記第２の通信品質情報が示す通信品質が前記閾値を下回る場合には、前記第２の基地局との間の無線通信を切断すると判定する
請求項２に記載の通信端末。
【請求項４】
前記通信部は、
前記第２の基地局との間の無線通信の切断後、前記第１の基地局と無線通信する
請求項１から請求項３のいずれか一項に記載の通信端末。
【請求項５】
前記通信部は、
前記第２の基地局との間の無線通信の切断後、前記第１の通信品質情報と、前記第２の通信品質情報とが、所定の条件を満たす場合には、前記第２の基地局との無線通信を再開する
請求項１から請求項４のいずれか一項に記載の通信端末。
【請求項６】
前記所定の条件は、前記第１の通信品質情報が示す通信品質に応じて変化し、
前記第１の通信品質情報が前記所定の通信品質よりも低い通信品質を示す場合には、前記所定の条件をより前記第２の基地局と無線通信しやすい基準へと変化させる
請求項５に記載の通信端末。
【請求項７】
前記第１の基地局とは、移動体通信網の基地局であり、
前記第２の基地局は、前記移動体通信網ではない基地局である
請求項１から請求項５のいずれか一項に記載の通信端末。
【請求項８】
前記第１の通信品質情報には、前記第１の基地局と自装置とが無線通信する際に利用可能な変調度、符号化率に関する情報が含まれ、
前記第２の通信品質情報には、自装置が前記第２の基地局から受信する電波の強さを示す情報が含まれる
請求項１から請求項７のいずれか一項に記載の通信端末。
【請求項９】
通信端末と無線通信する基地局であって、
当該基地局とは異なる通信方式を用いて無線通信する他の基地局と当該通信端末との間の通信品質を示す第１の通信品質情報を取得する第１通信品質情報取得部と、
前記通信端末との間の無線通信の通信品質を示す第２の通信品質情報を取得する第２通信品質情報取得部と、
前記第１通信品質情報取得部が取得する前記第１の通信品質情報と、前記第２通信品質情報取得部が取得する前記第２の通信品質情報とに基づいて、前記通信端末との間の無線通信を切断するか否かを判定する通信切断判定部と、
前記通信切断判定部が判定した結果に基づいて前記通信端末との間の無線通信を切断する通信部と
を備える基地局。
【請求項１０】
前記通信切断判定部は、
前記通信端末との間の無線通信を切断する基準を示す切断基準に基づいて前記通信端末との間の無線通信を切断するか否かを判定し、
前記第１の通信品質情報が所定の通信品質よりも高い通信品質を示す場合には、前記切断基準をより切断しやすい基準へと設定し、
前記第１の通信品質情報が当該所定の通信品質よりも低い通信品質を示す場合には、前記切断基準をより切断しにくい基準へと設定する
請求項９に記載の基地局。
【請求項１１】
前記通信切断判定部は、
複数の前記第１の通信品質情報から算出される統計情報、自装置と無線通信する前記通信端末の数のうち少なくとも１つに更に基づいて、前記通信端末との間の無線通信を切断するか否かを判定する
請求項９から請求項１０のいずれか一項に記載の基地局。
【請求項１２】
前記第１の通信品質情報は、
前記通信端末及び前記他の基地局のうち少なくとも１つから取得する
請求項９から請求項１１のいずれか一項に記載の基地局。
【発明の詳細な説明】
【技術分野】
【０００１】
本発明は、通信端末及び基地局に関する。
【背景技術】
【０００２】
従来、無線通信の電波同士の干渉を、通信端末がこの電波を受信した信号の強度によって判定する技術が知られている（例えば、特許文献１）。
【先行技術文献】
【特許文献】
【０００３】
【特許文献１】特表２０１６−５３９５６５号公報
【発明の概要】
【発明が解決しようとする課題】
【０００４】
従来の技術では、信号同士の干渉を、この信号の強度によって判定し、通信の周波数チャネルを選択することにより、信号同士の干渉による通信速度の低下を抑制する。しかし、信号同士の干渉があると、基地局に接続される複数の通信端末の通信速度が低下するという影響があることは知られていなかった。
本発明は、上記問題に鑑みて為されたものであり、基地局に接続される複数の通信端末の通信速度を改善する通信端末及び基地局を提供することを目的とする。
【課題を解決するための手段】
【０００５】
（１）本発明の一態様は、第１の基地局及び前記第１の基地局とは異なる通信の方式を用いる第２の基地局のそれぞれと無線通信する通信端末であって、前記第１の基地局との間の無線通信の通信品質を示す第１の通信品質情報を取得する第１通信品質情報取得部と、前記第２の基地局との間の無線通信の通信品質を示す第２の通信品質情報を取得する第２通信品質情報取得部と、前記第１通信品質情報取得部が取得する前記第１の通信品質情報と、前記第２通信品質情報取得部が取得する前記第２の通信品質情報とに基づいて、前記第２の基地局との間の無線通信を切断するか否かを判定する通信切断判定部と、前記通信切断判定部が判定した結果に基づいて前記第２の基地局との間の無線通信を切断する通信部とを備える通信端末である。
【０００６】
（２）本発明の一態様は、上記（１）の通信端末において、前記通信切断判定部は、前記第２の基地局との間の無線通信を切断する基準を示す切断基準に基づいて前記第２の基地局との間の無線通信を切断するか否かを判定し、前記第１の通信品質情報が所定の通信品質よりも高い通信品質を示す場合には、前記切断基準をより切断しやすい基準へと設定し、前記第１の通信品質情報が前記所定の通信品質よりも低い通信品質を示す場合には、前記切断基準をより切断しにくい基準へと設定する、通信端末である。
【０００７】
（３）本発明の一態様は、上記（２）に記載の通信端末において、前記切断基準とは第２の基地局との間の無線通信の通信品質に関する閾値であって、前記通信切断判定部は、前記第１の通信品質情報が示す通信品質が前記所定の通信品質よりも高い通信品質を示す場合には、前記閾値をより高い値に設定し、前記第１の通信品質情報が示す通信品質が前記所定の通信品質よりも低い通信品質を示す場合には、前記閾値をより低い値に設定し、前記第２の通信品質情報が示す通信品質が前記閾値を下回る場合には、前記第２の基地局との間の無線通信を切断すると判定する通信端末である。
【０００８】
（４）本発明の一態様は、上記（１）から（３）のいずれか一に記載の通信端末において、前記通信部は、前記第２の基地局との間の無線通信の切断後、前記第１の基地局と無線通信する、通信端末である。
【０００９】
（５）本発明の一態様は、上記（１）から（４）のいずれか一に記載の通信端末において、前記通信部は、前記第２の基地局との間の無線通信の切断後、前記第１の通信品質情報と、前記第２の通信品質情報とが、所定の条件を満たす場合には、前記第２の基地局との無線通信を再開する、通信端末である。
【００１０】
（６）本発明の一態様は、上記（５）に記載の通信端末において、前記所定の条件は、前記第１の通信品質情報が示す通信品質に応じて変化し、前記第１の通信品質情報が前記所定の通信品質よりも低い通信品質を示す場合には、前記所定の条件をより前記第２の基地局と無線通信しやすい基準へと変化させる、通信端末である。
【００１１】
（７）本発明の一態様は、上記（１）から（５）のいずれか一に記載の通信端末において、前記第１の基地局とは、移動体通信網の基地局であり、前記第２の基地局は、前記移動体通信網ではない基地局である、通信端末である。
【００１２】
（８）本発明の一態様は、上記（１）から（７）のいずれか一に記載の通信端末において、前記第１の通信品質情報には、前記第１の基地局と自装置とが無線通信する際に利用可能な変調度、符号化率に関する情報が含まれ、前記第２の通信品質情報には、自装置が前記第２の基地局から受信する電波の強さを示す情報が含まれる、通信端末である。
【００１３】
（９）本発明の一態様は、通信端末と無線通信する基地局であって、当該基地局とは異なる通信方式を用いて無線通信する他の基地局と当該通信端末との間の通信品質を示す第１の通信品質情報を取得する第１通信品質情報取得部と、前記通信端末との間の無線通信の通信品質を示す第２の通信品質情報を取得する第２通信品質情報取得部と、前記第１通信品質情報取得部が取得する前記第１の通信品質情報と、前記第２通信品質情報取得部が取得する前記第２の通信品質情報とに基づいて、前記通信端末との間の無線通信を切断するか否かを判定する通信切断判定部と、前記通信切断判定部が判定した結果に基づいて前記通信端末との間の無線通信を切断する通信部とを備える基地局である。
【００１４】
（１０）本発明の一態様は、上記（９）に記載の基地局において、前記通信切断判定部は、前記通信端末との間の無線通信を切断する基準を示す切断基準に基づいて前記通信端末との間の無線通信を切断するか否かを判定し、前記第１の通信品質情報が所定の通信品質よりも高い通信品質を示す場合には、前記切断基準をより切断しやすい基準へと設定し、前記第１の通信品質情報が当該所定の通信品質よりも低い通信品質を示す場合には、前記切断基準をより切断しにくい基準へと設定する、基地局である。
【００１５】
（１１）本発明の一態様は、上記（９）から（１０）のいずれか一に記載の基地局において、前記通信切断判定部は、複数の前記第１の通信品質情報から算出される統計情報、自装置と無線通信する前記通信端末の数のうち少なくとも１つに更に基づいて、前記通信端末との間の無線通信を切断するか否かを判定する、基地局である。
【００１６】
（１２）本発明の一態様は、上記（９）から（１１）のいずれか一に記載の基地局において、前記第１の通信品質情報は、前記通信端末及び前記他の基地局のうち少なくとも１つから取得する、基地局である。
【発明の効果】
【００１７】
本発明によれば、基地局に接続される複数の通信端末の通信速度を改善する通信端末及び基地局を提供することができる。
【図面の簡単な説明】
【００１８】
【図１】第１の実施形態に係る通信システムの概要の一例を示す図である。
【図２】第１の実施形態に係る移動体通信網基地局と、アクセスポイントと、通信端末との機能構成の一例を示す図である。
【図３】通信端末とアクセスポイントとの距離と、第２のＲＳＳＩとの関係を示す図である。
【図４】通信端末の動作の一例を示す図である。
【図５】通信切断判定部の切断判定動作の一例を示す図である。
【図６】第２の実施形態に係る移動体通信網基地局と、通信端末と、アクセスポイントとの機能構成の一例を示す図である。
【図７】アクセスポイントに接続された通信端末毎の優先度の一例を示す図である。
【図８】アクセスポイントの動作の一例を示す流れ図である。
【発明を実施するための形態】
【００１９】
＜第１の実施形態＞
以下、図面を参照して通信システムの第１の実施形態について説明する。
＜通信状態情報生成システムの概要について＞
図１は、第１の実施形態に係る通信システム１００の概要の一例を示す図である。
【００２０】
通信システム１００は、通信端末２と、移動体通信網基地局３Ａと、移動体通信網基地局３Ｂと、アクセスポイント４とを備える。
通信端末２は、通信部２３を備える。通信部２３は、移動体通信網基地局３Ａと、移動体通信網基地局３Ｂと、アクセスポイント４とのそれぞれと無線通信する。通信部２３は、移動体通信網基地局３Ａと、移動体通信網基地局３Ｂと、アクセスポイント４とのうちから少なくとも１つを介して通信回線ＮＷに接続されるサーバなどの装置と通信する。通信端末２は、例えば携帯電話、スマートフォン及びタブレット型のコンピュータ（タブレットＰＣ）等の携帯型のパーソナルコンピュータ等である。通信回線ＮＷは、無線通信網、当該無線通信網と接続される有線通信網及びインターネット等の通信網である。無線通信網は、例えば、ＬＴＥ（Ｌｏｎｇ  Ｔｅｒｍ  Ｅｖｏｌｕｔｉｏｎ）方式等の通信方式の通信を行う携帯電話ネットワークである。無線通信は、ＬＴＥ方式にしたがって構築された通信網に限られず、ＬＴＥ方式にしたがって構築された通信網以外の３Ｇ方式等の通信網であってもよい。有線通信網は、有線接続により接続された機器が構成する通信網である。
【００２１】
移動体通信網基地局３Ａは、移動体通信サービスエリアＳＡ３Ａのエリアに位置する通信端末２と無線通信する。
移動体通信網基地局３Ｂは、移動体通信サービスエリアＳＡ３Ｂのエリアに位置する通信端末２と無線通信する。以下の説明では、移動体通信網基地局３Ａ及び移動体通信網基地局３Ｂを区別しない場合には、単に移動体通信網基地局３とも記載する。
移動体通信網基地局３は、上述した無線通信網の基地局である。移動体通信網基地局３は、この一例では、ＬＴＥ方式等の通信方式の基地局である。移動体通信網基地局３は、第１の基地局の一例である。
【００２２】
アクセスポイント４は、アクセスポイントサービスエリアＷＡ４のエリアに位置する通信端末２と無線通信する。アクセスポイント４は、移動体通信網基地局３とは異なる通信の方式を用いる。アクセスポイント４は、この一例では、無線ＬＡＮ（Ｗｉｒｅｌｅｓｓ  Ｌｏｃａｌ  Ａｒｅａ  Ｎｅｔｗｏｒｋ）のアクセスポイントである。アクセスポイント４は、第２の基地局の一例である。
【００２３】
＜移動体通信網基地局と、通信端末との無線通信の速度について＞
ここで、移動体通信網基地局３が接続された通信端末の通信を制御する一例について説明する。移動体通信網基地局３には、複数の通信端末が接続される。移動体通信網基地局３は、移動体通信網基地局３と接続された複数の通信端末のそれぞれに対して、通信端末が移動体通信網基地局３と通信を行う頻度や、通信端末が移動体通信網基地局３と一度に通信するデータの量である通信量の割り当てを行う。通信を行う頻度が多いほど、通信端末２と移動体通信網基地局３との間の通信の頻度が多い。通信量の割り当てが多いほど、通信端末２と移動体通信網基地局３との間の通信量が多い。
言い換えると、移動体通信網基地局３は、接続される通信端末に対して、通信リソースの割り当てを行う。具体的には、移動体通信網基地局３は、接続された通信端末から移動体通信網基地局３に対しての通信を、周波数分割多元接続（Ｆｒｅｑｕｅｎｃｙ  Ｄｉｖｉｓｉｏｎ  Ｍｕｌｔｉｐｌｅ  Ａｃｃｅｓｓ）等によって通信リソースの割り当てを行う。通信リソースとは、通信端末が基地局にデータを送受信できる時間、及びそのデータ送受信に用いることができる周波数である。以下の説明では、移動体通信網基地局３が、接続された複数の通信端末に対して、通信リソースの割り当てを行うことを、スケジューリングとも記載する。移動体通信網基地局３は、スケジューリングを行い、通信端末２との通信を制御する。移動体通信網基地局３から通信リソースが多く割り当てられた通信端末２の通信の速さは速い。移動体通信網基地局３から通信リソースが少なく割り当てられた通信端末２の通信の速さは遅い。通信の速さは、上述した移動体通信網基地局３から割り当てられた通信リソースの量に限られず、天候、他の無線信号からの干渉等によっても変化する。
【００２４】
＜干渉エリアについて＞
ここで、移動体通信サービスエリアＳＡ３Ａと、移動体通信サービスエリアＳＡ３Ｂとが重複する干渉エリアＣＡについて説明する。以下の説明では、移動体通信サービスエリアＳＡ３Ａと、移動体通信サービスエリアＳＡ３Ｂとを区別しない場合には、単に移動体通信サービスエリアＳＡ３とも記載する。
干渉エリアＣＡは、移動体通信網基地局３Ａから出力される無線通信に用いる電波と、移動体通信網基地局３Ｂから出力される無線通信に用いる電波とが干渉するエリアである。この干渉エリアＣＡは、アクセスポイント４のアクセスポイントサービスエリアＷＡ４に含まれる。ここで、アクセスポイント４は、移動体通信網基地局３とは異なる通信方式を用いているため、移動体通信網基地局３からの電波と、アクセスポイント４からの電波とでは干渉しない。
【００２５】
この干渉エリアＣＡに位置する通信端末２は、移動体通信網基地局３Ａと、移動体通信網基地局３Ｂとの、いずれの基地局とも無線通信することができる。干渉エリアＣＡに位置する通信端末２は、移動体通信網基地局３Ａと移動体通信網基地局３Ｂとから送信される電波同士が干渉した電波を受信する。通信端末２は、移動体通信網基地局３Ａと、移動体通信網基地局３Ｂとのうちから、通信の状態がよい方の移動体通信網基地局３と通信する。しかし、通信端末２と移動体通信網基地局３との無線の電波に干渉があると、信号品質が低下することにより、高速通信ができなくなる。このため、通信端末２と、移動体通信網基地局３とは、低速通信を行う必要があり、同じデータ量の通信に、多くの通信リソースを消費する。ここで、信号品質は、信号対干渉雑音比（ｓｉｇｎａｌ−ｔｏ−ｉｎｔｅｒｆｅｒｅｎｃｅ  ｎｏｉｓｅ  ｒａｔｉｏ；ＳＩＮＲ）又は周波数単位ごとに下りチャネルの受信品質を示す指標であるＣＱＩ（Ｃｈａｎｎｅｌ  Ｑｕａｌｉｔｙ  Ｉｎｄｉｃａｔｏｒ）などが示される。高速通信とは、通信リソースあたり送受信可能なデータ量が多い通信を指し、具体的にはＭＣＳ（Ｍｏｄｕｌａｔｉｏｎ  ａｎｄ  Ｃｏｄｉｎｇ  Ｓｃｈｅｍｅ）が大きい通信である。低速通信とは、通信リソースあたり送受信可能なデータ量が少ない通信を指し、具体的にはＭＣＳが小さい通信である。なお、ＣＱＩとは、具体的には、移動体通信網基地局３が、ＭＣＳを決定する際に使用する情報である。
【００２６】
移動体通信網基地局３は、ＭＣＳを下げても十分な通信ができない場合には、通信端末２に対してデータを再送し、又はデータの再送を要求する必要がある。これにより、移動体通信網基地局３は、さらに通信リソースを消費する。移動体通信網基地局３は、通信リソースの消費が生じることで、干渉エリアＣＡに位置する通信端末２以外の通信端末に割り当てられる通信リソースの消費が減り、他の通信端末の通信速度も低下する。このため、干渉エリアＣＡ以外の移動体通信サービスエリアＳＡ３に位置する通信端末２と、移動体通信網基地局３との無線通信の速度も遅くなってしまう。無線通信の速度とは、移動体通信網基地局３と通信端末２とのデータのやり取りの速度や、移動体通信網基地局３と通信端末２との通信の応答の速さである。
【００２７】
上述した干渉エリアＣＡに位置する通信端末２は、無線通信の経路を切り替える。通信端末２は、アクセスポイント４と無線通信することにより、無線通信の速度を上げることができる。この無線通信の経路を切り替えることを、以下の説明では、オフロードとも記載する。移動体通信網基地局３は、通信端末２がオフロードすることにより、上述した通信リソースの消費を抑制することができる。
【００２８】
＜第１の実施形態の通信端末の機能構成について＞
ここで、図２を参照して、通信端末２の機能構成の一例について説明する。
図２は、第１の実施形態に係る移動体通信網基地局３と、アクセスポイント４と、通信端末２との機能構成の一例を示す図である。
【００２９】
移動体通信網基地局３は、制御部３０を備える。制御部３０は、例えばＣＰＵを備えており、種々の演算や情報の授受を行う。制御部３０は、端末通信部３２を、その機能部として備える。
端末通信部３２は、ＣＰＵからの命令、及び通信インタフェースによって実現される。端末通信部３２は、通信端末２が備える通信部２３と無線通信する。
【００３０】
アクセスポイント４は、制御部４０を備える。制御部４０は、例えばＣＰＵを備えており、種々の演算や情報の授受を行う。制御部４０は、端末通信部４２を、その機能部として備える。端末通信部４２と、第２通信品質情報送信部４１とを備える。
端末通信部４２は、ＣＰＵからの命令、及び通信インタフェースによって実現される。端末通信部４２は、通信端末２が備える通信部２３と無線通信する。
【００３１】
通信端末２は、制御部２０を備える。制御部２０は、例えばＣＰＵを備えており、種々の演算や情報の授受を行う。制御部２０は、第１通信品質情報生成部２７と、第１通信品質情報取得部２１と、第２通信品質情報生成部２８と、第２通信品質情報取得部２２と、通信切断判定部２４と、通信部２３とを、その機能部として備える。
【００３２】
第１通信品質情報生成部２７は、通信端末２と移動体通信網基地局３との間の通信品質を示す第１の通信品質情報を生成する。具体的には、第１の通信品質情報には、上述したＣＱＩ、通信端末２が移動体通信網基地局３から受信した無線通信の電波の強度を示すＲＳＳＩ（Ｒｅｃｅｉｖｅｄ  Ｓｉｇｎａｌ  Ｓｔｒｅｎｇｔｈ  Ｉｎｄｉｃａｔｏｒ；電波受信強度）、通信端末２が移動体通信網基地局３から受信した無線通信の電波のＳＮＲ（Ｓｉｇｎａｌ  ｔｏ  Ｎｏｉｓｅ  Ｒａｔｉｏ；信号雑音比）などを含む情報である。以下の説明では、通信端末２が移動体通信網基地局３から受信した無線通信の電波の強度を示すＲＳＳＩの事を、第１のＲＳＳＩとも記載する。この一例では、第１の通信品質情報が、ＣＱＩの場合について説明する。第１通信品質情報生成部２７は、第１のＲＳＳＩ及び、移動体通信網基地局３から割り当てられた通信リソースなどに基づいて、第１の通信品質情報を生成する。第１通信品質情報生成部２７は、生成した第１の通信品質情報を、第１通信品質情報取得部２１に対して供給する。
【００３３】
第１通信品質情報取得部２１は、第１通信品質情報生成部２７から第１の通信品質情報を取得する。第１通信品質情報取得部２１は、第１通信品質情報生成部２７から取得した第１の通信品質情報を、通信切断判定部２４に対して供給する。
【００３４】
第２通信品質情報生成部２８は、通信端末２とアクセスポイント４との間の通信品質を示す第２の通信品質情報を生成する。具体的には、第２の通信品質情報とは、通信端末２がアクセスポイント４から受信する電波の強度を示すＲＳＳＩ、通信端末２とアクセスポイント４とのＳＮＲなどを含む情報である。以下の説明では、通信端末２がアクセスポイント４から受信した無線通信の電波の強度を示すＲＳＳＩの事を、第２のＲＳＳＩとも記載する。この一例では、第２の通信品質情報が、第２のＲＳＳＩの場合について説明する。
第２通信品質情報生成部２８は、生成した第２の通信品質情報を、第２通信品質情報取得部２２に対して供給する。
【００３５】
第２通信品質情報取得部２２は、第２通信品質情報生成部２８から第２の通信品質情報を取得する。第２通信品質情報取得部２２は、第２通信品質情報生成部２８から取得した第２の通信品質情報を、通信切断判定部２４に対して供給する。
【００３６】
通信切断判定部２４は、第１通信品質情報取得部２１から第１の通信品質情報を取得する。通信切断判定部２４は、第２通信品質情報取得部２２から第２の通信品質情報を取得する。通信切断判定部２４は、第１通信品質情報取得部２１から取得した第１の通信品質情報と、第２通信品質情報取得部２２から取得した第２の通信品質情報とに基づいて、アクセスポイント４との間の無線通信を切断するか否かを判定する。
【００３７】
具体的には、本実施形態の通信切断判定部２４は、第１の通信品質情報が示す通信品質が所定の通信品質よりも高い通信品質の場合には、アクセスポイント４との通信の切断基準を切断しやすい基準へと設定する。通信切断判定部２４は、第１の通信品質情報が示す通信品質が所定の通信品質よりも低い通信品質の場合には、アクセスポイント４との通信の切断基準を切断しにくい基準へと設定する。通信切断判定部２４は、第２の通信の品質情報と、通信の切断基準とに基づいてアクセスポイント４との間の通信を切断するか否かを判定する。
通信部２３は、通信切断判定部２４が判定した結果に基づいてアクセスポイント４との間の無線通信を切断する。
【００３８】
＜通信切断判定部の判定方法＞
ここで、図３を参照して、通信切断判定部２４が、無線通信を切断するか否かを判定する判定方法について説明する。
通信切断判定部２４は、アクセスポイント４との間の無線通信を切断する基準を示す切断基準に基づいてアクセスポイント４との間の無線通信を切断するか否かを判定する。
通信切断判定部２４は、第１の通信品質情報が所定の通信品質よりも高い通信品質を示す場合には、切断基準を第１の基準へと設定する。また、通信切断判定部２４は、第１の通信品質情報が所定の通信品質よりも低い通信品質を示す場合には、切断基準を第１の基準よりも切断しにくい第２の基準へと設定する。ここで、所定の通信品質は、通信端末２に予め設定された通信品質である。なお、通信切断判定部２４は、所定の通信品質を複数設けることにより、第１の通信品質に基づいて切断基準を多段階に切り替えてもよい。この場合、通信切断判定部２４は、第１の通信品質が高いほど、切断基準として切断しやすい基準を設定する。通信切断判定部２４は、第１の通信品質に比例して切断基準を設定してもよい。
【００３９】
図３は、通信端末２とアクセスポイント４との距離と、第２のＲＳＳＩとの関係を示す図である。なお、この通信端末２とアクセスポイント４との距離と、第２のＲＳＳＩとの関係との関係は、障害物等がない自由空間の場合の一例を示すものである。
図３に示すグラフの縦軸は、通信端末２がアクセスポイント４から受信する無線通信の電波の電波強度を示すＲＳＳＩを示す。図３に示すグラフの横軸は、通信端末２と、アクセスポイント４との距離を示す。
このグラフは、第１の通信品質情報に含まれるＣＱＩが高い値の方が、通信端末２と、アクセスポイント４との無線通信を切断しやすいことを示す。例えば、上述した切断基準は、第１の通信品質情報に含まれるＣＱＩの値に応じて設定される。ここで、切断基準とは、アクセスポイント４と通信端末２との間の無線通信の通信品質に関する閾値である。
【００４０】
閾値ＴＨ１は、例えば、所定の通信品質に対応するＣＱＩが“７”であり、第１の通信品質情報に含まれるＣＱＩが“１０”の場合の、切断基準である。この場合には、第１の通信品質情報が示す通信品質が所定の通信品質よりも高い通信品質を示すため、通信切断判定部２４は、切断基準を切断しやすい基準へと設定する。この一例では、切断しやすい基準とは、第２のＲＳＳＩが“−６０［ｄＢ］”を下回る場合に切断する基準である。このとき、通信端末２と、アクセスポイント４との接続可能距離は、距離Ｌ１である。
閾値ＴＨ２は、例えば、第１の通信品質情報に含まれるＣＱＩが“５”の場合の、切断基準である。この場合には、第１の通信品質情報が示す通信品質が所定の通信品質よりも低い通信品質を示すため、通信切断判定部２４は、切断基準を切断しにくい基準へと設定する。切断しにくい基準とは、この一例では第２のＲＳＳＩが“−７５［ｄＢ］”を下回る場合に切断する基準である。このとき、通信端末２と、アクセスポイント４との接続可能距離は、距離Ｌ２である。この距離Ｌ１は、距離Ｌ２よりも短い距離であるから、閾値ＴＨ１は閾値ＴＨ２よりも切断しやすい基準である。つまり、通信切断判定部２４は、第１の通信品質情報が悪い通信品質を示すほど、自装置と距離が離れたアクセスポイント４とも無線通信可能な状態に、切断基準を設定する。また、通信切断判定部２４は、第１の通信品質情報が良い通信品質を示すほど、自装置と距離が近いアクセスポイント４との無線通信を切断可能な状態に、切断基準を設定する。
【００４１】
＜通信端末の動作の概要＞
次に、図４及び図５を参照して、通信端末２の動作の概要について説明する。
図４は、通信端末２の動作の一例を示す図である。なお、ここに示す動作手順は、一例であって、動作手順の省略や動作手順の追加が行われてもよい。
【００４２】
第１通信品質情報生成部２７は、通信端末２と移動体通信網基地局３との間の通信品質を示す第１の通信品質情報を生成する。具体的には、第１通信品質情報生成部２７は、通信部２３から、通信部２３が受信した移動体通信網基地局３からの電波のＲＳＳＩやＳＮＲに基づいて、第１の通信品質情報を生成する。
第１通信品質情報取得部２１は、第１通信品質情報生成部２７から第１の通信品質情報を取得する（ステップＳ１０）。第１通信品質情報取得部２１は、第１通信品質情報生成部２７から取得した第１の通信品質情報を、通信切断判定部２４に対して供給する。
【００４３】
第２通信品質情報生成部２８は、通信端末２とアクセスポイント４との間の通信品質を示す第２の通信品質情報を生成する。具体的には、第２通信品質情報生成部２８は、通信部２３から、通信部２３が受信したアクセスポイント４からの電波のＲＳＳＩやＳＮＲに基づいて、第２の通信品質情報を生成する。
第２通信品質情報取得部２２は、第２通信品質情報生成部２８から第２の通信品質情報を取得する（ステップＳ２０）。第２通信品質情報取得部２２は、第２通信品質情報生成部２８から取得した第２の通信品質情報を、通信切断判定部２４に対して供給する。
【００４４】
通信切断判定部２４は、第１通信品質情報取得部２１から第１の通信品質情報を取得する。通信切断判定部２４は、第２通信品質情報取得部２２から第２の通信品質情報を取得する。通信切断判定部２４は、第１の通信品質情報と、第２の通信品質情報とに基づいて、アクセスポイント４との間の無線通信を切断するか否かを判定する（ステップＳ３０）。
ここで、図５を参照して、通信切断判定部２４がアクセスポイント４との間の無線通信を切断するか否かを判定する動作について詳細に説明する。
図５は、通信切断判定部２４の切断判定動作の一例を示す図である。
【００４５】
通信切断判定部２４は、第１の通信品質情報が示す通信品質が、所定の通信品質よりも高い通信品質かを判定する（ステップＳ３１）。
通信切断判定部２４は、第１の通信品質情報が示す通信品質が、所定の通信品質よりも高い通信品質であると判定した場合には（ステップＳ３１；ＹＥＳ）、アクセスポイント４との通信の切断基準を、切断しやすい基準に設定する（ステップＳ３２）。
通信切断判定部２４は、第１の通信品質情報が示す通信品質が、所定の通信品質よりも低い通信品質であると判定した場合には（ステップＳ３１；ＮＯ）、アクセスポイント４との通信の切断基準を、切断しにくい基準に設定する（ステップＳ３４）。
通信切断判定部２４は、第１通信品質情報取得部２１から取得した第１の通信品質情報と、第２通信品質情報取得部２２から取得した第２の通信品質情報と前記切断基準とに基づいて、アクセスポイント４との無線通信を切断するか否かを判定する（ステップＳ３３）。具体的には、通信切断判定部２４は、第２の通信品質情報が示す通信品質が閾値を下回る場合には、アクセスポイント４との間の無線通信を切断すると判定する。
【００４６】
図４に戻り、通信切断判定部２４は、アクセスポイント４との間の無線通信を切断しないと判定した場合には、処理を終了する（ステップＳ３０；ＮＯ）。
【００４７】
通信切断判定部２４は、アクセスポイント４との間の無線通信を切断すると判定した場合（ステップＳ３０；ＹＥＳ）には、通信部２３に対して判定結果を供給する（ステップＳ４０）。
通信部２３は、通信切断判定部２４から判定結果を取得する。通信部２３は、通信切断判定部２４から取得した判定結果に基づいて、アクセスポイント４との通信を切断する（ステップＳ５０）。
通信部２３は、移動体通信網基地局３との無線通信を開始する（ステップＳ６０）。
【００４８】
＜第１の実施形態のまとめ＞
以上説明したように、本実施形態の通信切断判定部２４は、アクセスポイント４との通信品質を示す第２の通信品質情報だけではなく、アクセスポイント４とは異なる通信の方式を用いる移動体通信網基地局３との通信品質を示す第１の通信品質情報に更に基づいて、アクセスポイント４との無線通信の切断を判定する。通信端末２は、第１の通信品質情報に更に基づいてアクセスポイント４との通信を切断するため、自装置が移動体通信網基地局３への通信リソースを大きく消費する場合には、移動体通信網基地局３からアクセスポイント４へとオフロードさせることができる。これにより、通信端末２は、通信システム１００全体の通信速度を向上させることができる。つまり、通信端末２は、移動体通信網基地局３及びアクセスポイント４に接続される複数の通信端末の通信速度を改善することができる。
【００４９】
また、通信端末２は、自装置がアクセスポイント４との通信を切断するか否かを判定するために、既に設置されたアクセスポイント４の動作を変えることなく、通信システム１００全体の通信速度を向上させることができる。また、通信端末２のハードウェアを変えず、ソフトウェアを更新することにより、上述した効果を得ることができる。
【００５０】
また、通信端末２は、移動体通信網基地局３から出力される電波同士が干渉するエリアに位置する通信端末を優先してオフロードさせることにより、アクセスポイント４の通信品質を維持しつつ、通信システム１００全体の通信の品質を向上させることができる。
【００５１】
なお、第１通信品質情報生成部２７が生成する第１の通信品質情報には、移動体通信網基地局３に接続される他の通信端末の台数や、移動体通信網基地局３の過去の通信品質の統計情報が含まれていてもよい。これにより、通信端末２は、精度よくオフロードすることができる。
【００５２】
また、第２通信品質情報生成部２８が生成する第２の通信品質情報には、アクセスポイント４に接続される他の通信端末の台数や、アクセスポイント４の過去の通信品質の統計情報が含まれていてもよい。この場合には、通信端末２は、精度よくオフロードすることができる。
【００５３】
なお、上述した説明では、第１の通信品質情報がＣＱＩの場合について説明したが、これに限られない。第１の通信品質情報には、移動体通信網基地局３と通信端末２とが無線通信する際に利用可能な通信の変調度、符号化率に関する情報のうち少なくとも１つが含まれていればよい。また、上述した説明では、第２の通信品質情報が、第２のＲＳＳＩ情報の場合について説明したが、これに限られない。第２の通信品質情報は、通信端末２がアクセスポイント４から受信する電波の品質を示す情報が少なくとも含まれた情報によって生成されればよい。
【００５４】
なお、上述した説明では、第１の基地局が、移動体通信網基地局の場合について説明したが、これに限られない。また、上述した説明では、第２の基地局が、無線ＬＡＮの場合について説明したが、これに限られない。第２の基地局は、移動体通信網とは異なる種別の通信メディアに対応するものであればよい。例えば、第２の基地局は、高速無線通信ネットワークのアクセスポイントであってもよい。高速無線通信ネットワークとしては、例えば、無線ＭＡＮ（Ｗｉｒｅｌｅｓｓ  Ｍｅｔｒｏｐｏｌｉｔａｎ  Ａｒｅａ  Ｎｅｔｗｏｒｋ）などが挙げられる。
【００５５】
なお、通信部２３は、アクセスポイント４との間の無線通信の切断後、第１の通信品質情報と、第２の通信品質情報とが、所定の条件を満たす場合には、アクセスポイント４との無線通信を再開してもよい。この所定の条件は、予め通信端末２に設定された第１の通信品質情報が示す通信品質及び予め通信端末２に設定された第２の通信品質情報が示す通信品質の条件である。より具体的には、通信部２３は、現在の第１の通信品質情報が示す値が、予め設定された第１の通信品質情報が示す値よりも悪い品質を示し、第２の通信品質情報が示す値が、予め設定された第２の通信品質情報よりもよい品質を示す場合には、アクセスポイント４との無線通信を再開する。つまり、所定の条件は、第１の通信品質情報が示す通信品質に応じて変化する。通信部２３は、第１の通信品質情報が所定の通信品質よりも低い通信品質を示す場合には、所定の条件をより第２の基地局と無線通信しやすい基準へと変化させる。
【００５６】
＜第２の実施形態＞
ここまでは、通信端末がアクセスポイントとの無線通信の切断を判定する構成について説明した。次に、アクセスポイントが、自装置に接続した通信端末との無線通信の切断を判定する構成について、図７を参照して説明する。なお、第１の実施形態と同一の構成及び動作については、同一の符号を付してその説明を省略する。
図６は、第２の実施形態に係る移動体通信網基地局３と、通信端末２ａと、アクセスポイント４ａとの機能構成の一例を示す図である。移動体通信網基地局３は、上述した第１の実施形態の構成と同様である。本実施形態のアクセスポイント４ａは、複数の通信端末と無線通信する。
【００５７】
通信端末２ａは、制御部２０ａを備える。制御部２０ａは、例えばＣＰＵを備えており、種々の演算や情報の授受を行う。制御部２０ａは、上述した通信部２３と、第１通信品質情報生成部２７と、第１通信品質情報取得部２１と、第２通信品質情報生成部２８と、第２通信品質情報取得部２２とに加え、第１通信品質情報送信部２５と、第２通信品質情報送信部２６とを備える。
【００５８】
第１通信品質情報取得部２１は、第１通信品質情報生成部２７から第１の通信品質情報を取得する。第１通信品質情報取得部２１は、第１通信品質情報生成部２７から取得した第１の通信品質情報を、第１通信品質情報送信部２５に対して供給する。
第１通信品質情報送信部２５は、第１通信品質情報取得部２１から第１の通信品質情報を取得する。第１通信品質情報送信部２５は、第１通信品質情報取得部２１から取得した第１の通信品質情報を、アクセスポイント４ａに対して供給する。なお、第１通信品質情報取得部２１は、通信部２３を介して第１の通信品質情報を供給してもよい。
【００５９】
第２通信品質情報取得部２２は、第２通信品質情報生成部２８から第２の通信品質情報を取得する。第２通信品質情報取得部２２は、第２通信品質情報生成部２８から取得した第２の通信品質情報を、第２通信品質情報送信部２６に対して供給する。
第２通信品質情報送信部２６は、第２通信品質情報取得部２２から第２の通信品質情報を取得する。第２通信品質情報送信部２６は、第２通信品質情報取得部２２から取得した第２の通信品質情報を、アクセスポイント４ａに対して供給する。なお、第２通信品質情報取得部２６は、通信部２３を介して第２の通信品質情報を供給してもよい。
【００６０】
アクセスポイント４ａは、制御部４０ａを備える。制御部４０ａは、例えばＣＰＵを備えており、種々の演算や情報の授受を行う。制御部４０ａは、上述した端末通信部４２に加え、第１通信品質情報取得部４３と、第２通信品質情報取得部４４と、優先度設定部４５と、通信切断判定部４６とを備える。
第１通信品質情報取得部４３は、第１通信品質情報送信部２５から第１の通信品質情報を取得する。第１通信品質情報取得部４３は、第１通信品質情報送信部２５から取得した第１の通信品質情報を、優先度設定部４５に対して供給する。また、第１通信品質情報取得部４３は、第１通信品質情報送信部２５から取得した第１の通信品質情報を、通信切断判定部４６に対して供給する。
【００６１】
第２通信品質情報取得部４４は、第２通信品質情報送信部２６から第２の通信品質情報を取得する。第２通信品質情報取得部４４は、第２通信品質情報送信部２６から取得した第２の通信品質情報を、優先度設定部４５に対して供給する。第２通信品質情報取得部４４は、第２通信品質情報送信部２６から取得した第２の通信品質情報を、通信切断判定部４６に対して供給する。
【００６２】
優先度設定部４５は、第１通信品質情報取得部４３から第１の通信品質情報を取得する。優先度設定部４５は、第２通信品質情報取得部４４から第２の通信品質情報を取得する。優先度設定部４５は、第１通信品質情報取得部４３から取得した第１の通信品質情報と、第２通信品質情報取得部４４から取得した第２の通信品質情報とに基づいて、通信端末２ａとの間の無線通信の切断し易さの程度を示す優先度を、自装置に接続された通信端末２ａのそれぞれに設定する。
【００６３】
具体的には、優先度設定部４５は、第１の通信品質情報が示す通信品質が、所定の通信よりも高い通信品質を示し、第２の通信品質情報が所定の通信品質よりも低い通信品質を示す場合には、無線通信の切断の優先度には、高い優先度を設定する。以下の説明では、この高い優先度を、第１の優先度とも記載する。
優先度設定部４５は、第１の通信品質情報が示す通信品質が、所定の通信品質よりも低い通信品質を示し、第２の通信品質情報が所定の通信品質よりも高い通信品質を示す場合には優先度を低く設定する。以下の説明では、この低い優先度を第４の優先度とも記載する。
【００６４】
優先度設定部４５は、第１の通信品質情報が示す通信品質が、所定の通信品質よりも低い通信品質を示し、第２の通信品質情報が所定の通信品質よりも低い通信品質を示す場合には、第２の優先度を設定する。
優先度設定部４５は、第１の通信品質情報が示す通信品質が所定の通信品質よりも高い通信品質を示し第２の通信品質情報が所定の通信品質よりも高い通信品質を示す場合には、第３の優先度を設定する。
【００６５】
第１の優先度は、第２の優先度よりも、切断の優先度が高い。また、第２の優先度は、第３の優先度及び第４の優先度よりも切断の優先度が高い。第３の優先度は、第４の優先度よりも切断の優先度が高い。
【００６６】
優先度設定部４５は、優先度を設定した結果を示す優先度情報を、通信切断判定部４６に対して供給する。
【００６７】
通信切断判定部４６は、第１通信品質情報取得部４３から第１の通信品質情報を取得する。通信切断判定部４６は、第２通信品質情報取得部４４から第２の通信品質情報を取得する。通信切断判定部４６は、優先度設定部４５から優先度情報を取得する。通信切断判定部４６は、この第１の通信品質情報と、この第２の通信品質情報とを、自装置に接続する通信端末毎に取得する。
【００６８】
通信切断判定部４６は、第１通信品質情報取得部４３から取得した第１の通信品質情報と、第２通信品質情報取得部４４から取得した第２の通信品質情報とに基づいて、通信端末２ａとの間の無線通信を切断するか否かを判定する。なお、本実施形態では、通信切断判定部４６は、通信端末２ａとの無線通信を切断する場合には、優先度設定部４５が設定する優先度に基づいて、通信端末２ａとの間の無線通信を切断するか否かを判定する。通信切断判定部４６は、この判定結果を端末通信部４２に対して供給する。
端末通信部４２は、通信切断判定部４６から判定結果を取得する。端末通信部４２は、通信切断判定部４６から取得した判定結果に基づいて、自装置と接続した通信端末２ａとの無線通信を切断する。
【００６９】
ここで、図７を参照して、優先度設定部４５が設定する優先度の一例について説明する。
図７は、アクセスポイント４ａに接続された通信端末毎の優先度の一例を示す図である。
【００７０】
アクセスポイント４ａには、Ｎ台の通信端末が接続される。優先度設定部４５が設定する優先度情報には、通信端末毎に、接続番号と端末識別番号と第１の通信品質情報と第２の通信品質情報と切断優先度とが対応付けられた状態で含まれる。接続番号は、アクセスポイント４ａに通信端末２ａが接続された順に付与される番号である。なお、この接続番号は、必須ではない。端末識別番号とは、アクセスポイント４ａに接続された通信端末を識別する情報である。切断優先度とは、アクセスポイント４ａと通信端末との間の無線通信を切断する優先度を示す情報である。この一例では、切断優先度の数値が小さい通信端末ほど、切断する優先度が高いことを示す。
【００７１】
優先度設定部４５は、第１の通信品質情報と、第２の通信品質情報とに基づいて、切断優先度を設定する。具体的には、通信切断判定部４６は、接続番号“１”、端末識別番号“Ｃ１”、第１の通信品質情報“１０”、第２の通信品質情報“−２０”、切断優先度“１”の優先度が割り振られた通信端末２ａから切断する。
この一例では、通信切断判定部４６は、接続番号“１”から接続番号“３”までの通信端末２ａとの無線通信を順次切断すると判定し、判定結果を端末通信部４２に供給する。通信切断判定部４６は、接続番号“１”から接続番号“３”までの通信端末２ａとの無線通信を切断した結果、自装置に接続された通信端末の数が所定の数よりも少なくなった場合は、切断処理を終了する。
【００７２】
なお、通信切断判定部４６は、自装置に接続された通信端末の数が、所定の数よりも少ない場合には、切断判定処理を行わなくてもよい。自装置に接続された通信端末の台数が所定の数よりも少ない場合には、自装置の処理に余裕があり、通信端末２ａと移動体通信網基地局３との通信をオフロードすることにより、移動体通信網基地局３の通信リソースの消費を抑制することができるためである。
【００７３】
＜アクセスポイント４ａの動作の概要＞
次に、図８を参照して、アクセスポイント４ａの動作の概要について説明する。
図８は、アクセスポイント４ａの動作の一例を示す流れ図である。なお、ここに示す動作手順は、一例であって、動作手順の省略や動作手順の追加が行われてもよい。
【００７４】
第１通信品質情報取得部４３は、第１通信品質情報送信部２５から、第１の通信品質情報を取得する（ステップＳ９１０）。第１通信品質情報取得部４３は、優先度設定部４５に対して第１の通信品質情報を供給する。第１通信品質情報取得部４３は、通信切断判定部４６に対して第１の通信品質情報を供給する。
第２通信品質情報取得部４４は、第２通信品質情報送信部２６から、第２の通信品質情報を取得する（ステップＳ９２０）。第２通信品質情報取得部４４は、優先度設定部４５に対して第２の通信品質情報を供給する。第２通信品質情報取得部４４は、通信切断判定部４６に対して第２の通信品質情報を供給する。
優先度設定部４５は、優先度を設定する（ステップＳ９３０）。優先度設定部４５は、設定した優先度を示す優先度情報を、通信切断判定部４６に対して供給する。
通信切断判定部４６は、優先度設定部４５から優先度情報を取得する。通信切断判定部４６は、優先度情報に基づいて通信端末との間の無線通信を切断するか否かを判定する（ステップＳ９４０）。
通信切断判定部４６は、無線通信を切断する通信端末が存在しない場合には、処理を終了する（ステップＳ９４０；ＮＯ）。
通信切断判定部４６は、判定結果を端末通信部４２に対して供給する（ステップＳ９４０；ＹＥＳ）。
端末通信部４２は、通信切断判定部４６から判定結果を取得する。端末通信部４２は、通信切断判定部４６から取得した判定結果に基づいて、通信端末との無線通信を切断する（ステップＳ９５０）。
【００７５】
＜第２の実施形態のまとめ＞
以上説明したように、アクセスポイント４ａは、第１の通信品質情報と、第２の通信品質情報とに基づいて、自装置に接続された複数の通信端末のうちから、無線通信を切断する通信端末を判定する。これにより、アクセスポイント４ａは、干渉エリアＣＡに位置する通信端末を、自装置との無線通信を維持することができる。また、アクセスポイント４ａは、干渉エリアＣＡに位置しない通信端末との無線通信を切断する。これにより、アクセスポイント４ａは、通信システム１００全体の通信速度を向上させることができる。
【００７６】
なお、上述した説明では、第１通信品質情報取得部４３は、第１通信品質情報送信部２５から第１の通信品質情報を取得する構成について説明したがこれに限られない。第１通信品質情報取得部４３は、第１の通信品質情報を移動体通信網基地局３から供給されてもよい。この場合には、移動体通信網基地局３は、第１通信品質情報送信部３１を備えればよい。この第１通信品質情報送信部３１から供給される第１の通信品質情報には、通信端末２には供給されない情報が含まれていてもよい。この供給されない情報は、移動体通信網基地局３に接続されている通信端末の台数や、過去の通信品質の統計の情報などである。
【００７７】
アクセスポイント４ａは、この通信端末２ａには供給されない情報が含まれる第１の通信品質情報に基づいて、切断する通信端末を判定することにより、よりオフロードの効果が高い通信端末を、自装置と通信させることができる。
【００７８】
なお、上述した説明では、アクセスポイント４ａが、優先度設定部４５を備える構成について説明したが、優先度設定部４５は必須ではない。優先度設定部４５を備えないアクセスポイント４ａの通信切断判定部４６は、上述した第１の実施形態の通信切断判定部２４と同様に、第１の通信品質情報と、第２の通信品質情報とに基づいて、通信端末２との間の無線通信を切断するか否かを判定する。
アクセスポイント４ａは、例えば、移動体通信網基地局３に接続している通信端末２ａが所定の数を上回る場合には、切断基準をより切断しにくい基準に設定してもよい。アクセスポイント４ａは、移動体通信網基地局３に接続している通信端末の通信品質の平均値と分散値に応じて切断基準を設定してもよい。具体的には、アクセスポイント４ａは、この通信品質の平均が悪く、分散値が所定の値よりも小さい場合には、オフロードによる改善効果が小さい傾向にあるため、切断基準を切断しやすい基準に設定する。
アクセスポイント４ａは、優先度設定部４５が設定する切断の優先度により、オフロードの効果が低い通信端末との無線通信を切断し、オフロードの効果が高い通信端末を自装置と無線通信させ続けることができる。
【００７９】
通信切断判定部４６は、複数の第１の通信品質情報から算出される統計情報、自装置と無線通信する通信端末２ａの数のうち少なくとも１つに更に基づいて、通信端末２ａとの間の無線通信を切断するか否かを判定してもよい。
【００８０】
なお、上記の各実施形態における通信端末２、通信端末２ａ、移動体通信網基地局３、アクセスポイント４及びアクセスポイント４ａが備える各部は、専用のハードウェアにより実現されるものであってもよく、また、メモリおよびマイクロプロセッサにより実現させるものであってもよい。
【００８１】
なお、通信端末２、通信端末２ａ、移動体通信網基地局３、アクセスポイント４及びアクセスポイント４ａが備える各部は、メモリおよびＣＰＵ（中央演算装置）により構成され、通信端末２、通信端末２ａ、移動体通信網基地局３、アクセスポイント４及びアクセスポイント４ａが備える各部の機能を実現するためのプログラムをメモリにロードして実行することによりその機能を実現させるものであってもよい。
【００８２】
また、通信端末２、通信端末２ａ、移動体通信網基地局３、アクセスポイント４及びアクセスポイント４ａが備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００８３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００８４】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００８５】
１００…通信システム、２，２ａ…通信端末、３，３Ａ，３Ｂ…移動体通信網基地局、４，４ａ…アクセスポイント、２０，２０ａ，３０，３０ａ，４０，４０ａ…制御部、２１，２１ａ…第１通信品質情報取得部、２２…第２通信品質情報取得部、２３…通信部、２４…通信切断判定部、２５…第１通信品質情報送信部、２６…第２通信品質情報送信部、２７…第１通信品質情報生成部、２８…第２通信品質情報生成部、３１…第１通信品質情報送信部、３２…端末通信部、４１…第２通信品質情報送信部、４２…端末通信部、４３…第１通信品質情報取得部、４４…第２通信品質情報取得部、４５…優先度設定部、４６…通信切断判定部、ＳＡ３Ａ，ＳＡ３Ｂ…移動体通信サービスエリア、ＣＡ…干渉エリア
【図１】
2018164238.tif 000003
【図２】
2018164238.tif 000004
【図３】
2018164238.tif 000005
【図４】
2018164238.tif 000006
【図５】
2018164238.tif 000007
【図６】
2018164238.tif 000008
【図７】
2018164238.tif 000009
【図８】
2018164238.tif 000010